(57)【特許請求の範囲】
【請求項１】
着座面を形成するシートクッションと背もたれ面を形成するシートバックとを連結部材で結合したシートにおいて、
前記シートクッションは、
前記着座面の外形を形成する枠状のクッションフレームと、
該クッションフレーム上に設けられ前記着座面を全体的に支える薄膜状の着座支持部と、
該着座支持部の少なくとも周縁部に備えられ前記クッションフレーム上縁を覆うようにして該クッションフレーム前後左右外壁に固定されると共に前記着座支持部に張力を付与する弾性部と、
前記クッションフレーム上縁間に渡って設けられ前記着座支持部を部分的に補強する可撓性の補強部とを備え、
前記クッションフレームの、少なくとも後部は、シート幅方向の中央側が低くなる凹状に形成されていることを特徴とするシート。
【請求項２】
着座面を形成するシートクッションと背もたれ面を形成するシートバックとを連結部材で結合したシートにおいて、
前記シートクッションは、
前記着座面の外形を形成する枠状のクッションフレームと、
該クッションフレーム上に設けられ前記着座面を全体的に支える薄膜状の着座支持部と、
該着座支持部の少なくとも周縁部に備えられ前記クッションフレーム上縁を覆うようにして該クッションフレーム前後左右外壁に固定されると共に前記着座支持部に張力を付与する弾性部と、
前記クッションフレーム上縁間に渡って設けられ前記着座支持部を部分的に補強する可撓性の補強部とを備え、
前記着座支持部は、前記弾性体により着座面前後方向に予張力が付与され、着座面左右方向に前記着座面前後方向の予張力よりも弱い予張力が付与されていることを特徴とするシート。
【請求項３】
着座面を形成するシートクッションと背もたれ面を形成するシートバックとを連結部材で結合したシートにおいて、
前記シートクッションは、
前記着座面の外形を形成する枠状のクッションフレームと、
該クッションフレーム上に設けられ前記着座面を全体的に支える薄膜状の着座支持部と、
該着座支持部の少なくとも周縁部に備えられ前記クッションフレーム上縁を覆うようにして該クッションフレーム前後左右外壁に固定されると共に前記着座支持部に張力を付与する弾性部と、
前記クッションフレーム上縁間に渡って設けられ前記着座支持部を部分的に補強する可撓性の補強部とを備え、
前記補強部は、前記着座面の後部で該着座面の左右中央側から左右両後縁部側に漸次広がるように渡る臀部対応部と、該臀部対応部の前端から前記着座面の前部側に渡り臀部対応部の荷重を前記シートクッションの前部側に伝達する伝達部とよりなり、
前記臀部対応部の前端と伝達部の後端との結合部は、前記着座面の前後中央より後部側に位置し、
前記伝達部は、前記着座面の左右中央側から左右両前縁部側に漸次広がるように渡り、
前記伝達部の左右前方への開き角度を前記臀部対応部の左右後方への開き角度より狭くして、前記伝達部が着座した乗員の大腿部の内側部に配置されるようにしたことを特徴とするシート。
【請求項４】
着座面を形成するシートクッションと背もたれ面を形成するシートバックとを連結部材で結合したシートにおいて、
前記シートクッションは、
前記着座面の外形を形成する枠状のクッションフレームと、
該クッションフレーム上に設けられ前記着座面を全体的に支える薄膜状の着座支持部と、
該着座支持部の少なくとも周縁部に備えられ前記クッションフレーム上縁を覆うようにして該クッションフレーム前後左右外壁に固定されると共に前記着座支持部に張力を付与する弾性部と、
前記クッションフレーム上縁間に渡って設けられ前記着座支持部を部分的に補強する可撓性の補強部とを備え、
前記補強部は、前記着座面の後部で該着座面の左右中央側から左右両後縁部側に漸次広がるように渡る臀部対応部と、該臀部対応部の前端から前記着座面の前部側に渡り臀部対応部の荷重を前記シートクッションの前部側に伝達する伝達部とよりなり、
前記臀部対応部の前端と伝達部の後端との結合部は、前記着座面の前後中央より後部側に位置し、
前記伝達部を、前記着座面のシート幅方向の中央部を通る直線状に形成したことを特徴とするシート。
【請求項５】
請求項１〜４の何れかに記載のシートであって、
前記着座支持部及び補強部を、肉厚を変えて可撓材により一体に形成したことを特徴とするシート。
【請求項６】
請求項１〜４の何れかに記載のシートであって、
前記着座支持部及び補強部を、穴の個数調整をして可撓材により一体に形成したことを特徴とするシート。
【請求項７】
請求項１〜４の何れかに記載のシートであって、
前記着座支持部及び補強部は、布材で形成されると共に、前記弾性部はゴムで形成され、前記弾性部は前記着座支持部及び補強部に含浸して結合されていることを特徴とするシート。
【請求項８】
請求項１、３又は４記載のシートであって、
前記着座支持部は、前記弾性部により少なくとも着座面前後方向に予張力が付与されていることを特徴とするシート。
【発明の詳細な説明】
【０００１】
【発明の属する技術分野】
本発明は、車両等に搭載されるシートに関する。
【０００２】
【従来の技術】
従来のこの種のシートとしては、例えば図１７に示すものがある（実開昭６１−６０７５９５号公報参照）。このシート１は、着座面を形成するシートクッション３と背もたれ面を形成するシートバック５とをリクライニングデバイス７で結合したものである。前記シートクッション３は、着座面の外形を形成する枠状のクッションフレーム９を有し、該クッションフレーム９に対し伸縮自在な伸縮部材１１がその左右両側に取り付けられた芯材１３を介して取り付けられたものである。この伸縮部材１１上には、図示しないクッションパッドが搭載されている。
【０００３】
この図１７の構造では、伸縮部材１１が芯材１３を介しクッションフレーム９に支持されることによって、図示しないクッションパッドをいわゆるハンモック状に支持する柔軟構造となるため、金属バネ等によりクッションパッドを支持する構造に比較して、着座者の上下方向の動きをより柔軟に支えることができるのは勿論のこと、伸縮部材１１の面剛性が低く柔軟であるため、支持圧を分散する効果が高くなる。このため、クッションパッドを薄くしても一定の支持圧の分散効果が得られ、シートクッション３の省スペース化と軽量化を図ることができる。
【０００４】
【発明が解決しようとする課題】
しかしながら、上記従来のシートによって長時間運転すると疲れやすく、またシートクッションを薄く軽量化することには限界があった。これを図１８〜図２１を用いてさらに説明する。
【０００５】
上記従来のシートにおいて、シートクッション３に乗員が着座した場合の体圧分布を見ると、図１８のようになっている。１５は乗員の座骨位置であり、１７は臀部側部の圧迫位置、１９は大腿側部の圧迫位置、２１は臀部中央の支持位置をそれぞれ示している。また図１９は臀部側部の圧迫状態を断面方向で見た概略図であり、図２０は大腿側部の圧迫状態を断面方向で見た概略図である。図２１は着座したときのシートクッション３の反力ー撓線図である。
【０００６】
上記のように伸縮部材１１をハンモック状に支持したものでは、着座時の撓量が増加し、伸縮部材１１のインバース量（沈み込み量）が大きくなり、図１８，図１９のように臀部２３では側部の圧迫が発生し、逆に臀部２３の中央部では支持が不足することになる。
【０００７】
一方、大腿部２５では、図１８，図２０のように側部の圧迫が発生すると共に、これに伴い大腿部２５を体の中心へ戻す反力が発生し、ペダル操作等のために必要な大腿部２５の左右開き姿勢の維持が難しくなる。
【０００８】
このため長時間運転に際しては臀部側部の圧迫や大腿部側部の圧迫によって運転者の疲労を増大する恐れがある。
【０００９】
また図２１の反力ー撓線図のように、座り込み初期の撓み量が少ない状態では、伸縮部材１１の初期形状が平面であることと伸縮部材１１の柔軟性が高く伸び反力が小さいこととにより、座り込みに対する反力が小さく、撓み量が増大すると共に急激に反力が増大する特性となっている。これにより、座り込み時の衝撃を十分に吸収することができず、また撓みによるバネ定数変化が大きく、撓が大きくなるとバネ定数が増加し、路面振動を適切に吸収できなくなる恐れがある。従って、伸縮部材１１上に搭載するクッションパッドをある程度厚くしなければならず、シートクッション３を薄く軽量化することには限界があった。
【００１０】
本発明は、シートクッションを薄く軽量化することができると共に、適切な支持圧分布を得やすく、衝撃を十分に吸収することのできるシートの提供を課題とする。
【００１１】
【課題を解決するための手段】
請求項１の発明は、着座面を形成するシートクッションと背もたれ面を形成するシートバックとを連結部材で結合したシートにおいて、前記シートクッションは、前記着座面の外形を形成する枠状のクッションフレームと、該クッションフレーム上に設けられ前記着座面を全体的に支える薄膜状の着座支持部と、該着座支持部の少なくとも周縁部に備えられ前記クッションフレーム上縁を覆うようにして該クッションフレーム前後左右外壁に固定されると共に前記着座支持部に張力を付与する弾性部と、前記クッションフレーム上縁間に渡って設けられ前記着座支持部を部分的に補強する可撓性の補強部とを備え、前記クッションフレームの、少なくとも後部は、シート幅方向の中央側が低くなる凹状に形成されていることを特徴とする。
【００１２】
請求項２の発明は、着座面を形成するシートクッションと背もたれ面を形成するシートバックとを連結部材で結合したシートにおいて、前記シートクッションは、前記着座面の外形を形成する枠状のクッションフレームと、該クッションフレーム上に設けられ前記着座面を全体的に支える薄膜状の着座支持部と、該着座支持部の少なくとも周縁部に備えられ前記クッションフレーム上縁を覆うようにして該クッションフレーム前後左右外壁に固定されると共に前記着座支持部に張力を付与する弾性部と、前記クッションフレーム上縁間に渡って設けられ前記着座支持部を部分的に補強する可撓性の補強部とを備え、前記着座支持部は、前記弾性体により着座面前後方向に予張力が付与され、着座面左右方向に前記着座面前後方向の予張力よりも弱い予張力が付与されていることを特徴とする。
【００１３】
請求項３の発明は、着座面を形成するシートクッションと背もたれ面を形成するシートバックとを連結部材で結合したシートにおいて、前記シートクッションは、前記着座面の外形を形成する枠状のクッションフレームと、該クッションフレーム上に設けられ前記着座面を全体的に支える薄膜状の着座支持部と、該着座支持部の少なくとも周縁部に備えられ前記クッションフレーム上縁を覆うようにして該クッションフレーム前後左右外壁に固定されると共に前記着座支持部に張力を付与する弾性部と、前記クッションフレーム上縁間に渡って設けられ前記着座支持部を部分的に補強する可撓性の補強部とを備え、前記補強部は、前記着座面の後部で該着座面の左右中央側から左右両後縁部側に漸次広がるように渡る臀部対応部と、該臀部対応部の前端から前記着座面の前部側に渡り臀部対応部の荷重を前記シートクッションの前部側に伝達する伝達部とよりなり、前記臀部対応部の前端と伝達部の後端との結合部は、前記着座面の前後中央より後部側に位置し、前記伝達部は、前記着座面の左右中央側から左右両前縁部側に漸次広がるように渡り、前記伝達部の左右前方への開き角度を前記臀部対応部の左右後方への開き角度より狭くして、前記伝達部が着座した乗員の大腿部の内側部に配置されるようにしたことを特徴とする。
【００１４】
請求項４の発明は、着座面を形成するシートクッションと背もたれ面を形成するシートバックとを連結部材で結合したシートにおいて、前記シートクッションは、前記着座面の外形を形成する枠状のクッションフレームと、該クッションフレーム上に設けられ前記着座面を全体的に支える薄膜状の着座支持部と、該着座支持部の少なくとも周縁部に備えられ前記クッションフレーム上縁を覆うようにして該クッションフレーム前後左右外壁に固定されると共に前記着座支持部に張力を付与する弾性部と、前記クッションフレーム上縁間に渡って設けられ前記着座支持部を部分的に補強する可撓性の補強部とを備え、前記補強部は、前記着座面の後部で該着座面の左右中央側から左右両後縁部側に漸次広がるように渡る臀部対応部と、該臀部対応部の前端から前記着座面の前部側に渡り臀部対応部の荷重を前記シートクッションの前部側に伝達する伝達部とよりなり、前記臀部対応部の前端と伝達部の後端との結合部は、前記着座面の前後中央より後部側に位置し、前記伝達部を、前記着座面のシート幅方向の中央部を通る直線状に形成したことを特徴とする。
【００１５】
請求項５の発明は、請求項１〜４の何れかに記載のシートであって、前記着座支持部及び補強部を、肉厚を変えて可撓材により一体に形成したことを特徴とする。
【００１６】
請求項６の発明は、請求項１〜４の何れかに記載のシートであって、前記着座支持部及び補強部を、穴の個数調整をして可撓材により一体に形成したことを特徴とする。
【００１７】
請求項７の発明は、請求項１〜４の何れかに記載のシートであって、前記着座支持部及び補強部は、布材で形成されると共に、前記弾性部はゴムで形成され、前記弾性部は前記着座支持部及び補強部に含浸して結合されていることを特徴とする。
【００１９】
請求項８の発明は、請求項１、３又は４記載のシートであって、前記着座支持部は、前記弾性部により少なくとも着座面前後方向に予張力が付与されていることを特徴とする。
【００２１】
【発明の効果】
請求項１の発明では、着座支持部は弾性部によって張力が付与されているため、撓が小さい初期段階から反力が大きく発生し、かつバネ定数の変化が小さい特性を示し、座り込みの際の高い衝撃吸収能力と路面振動に対する高い振動吸収能力とが得られる。また補強部によって着座支持部を部分的に補強することによって、撓を抑制することができ、適切な支持圧分布を得ることができ、長時間運転の際にも疲労増大を抑制することができる。さらに、弾性部はクッションフレーム上縁を覆うように取り付けられるため、着座姿勢がずれるなどしても、クッションフレーム上縁が乗員の大腿部等に強く当たることはなく、違和感を抑制することができる。特に、クッションフレームの少なくとも後部はシート幅方向の中央側が低くなる凹状に形成されていることによって、着座支持部に少なくとも着座面前後方向に張力を付与しながら臀部の湾曲に合わせて凹状に形成することができ、着座による撓量を抑制することができ、撓が小さい初期段階から反力が大きく発生し、かつバネ定数の変化が小さい特性を示し、座り込みの際の高い衝撃吸収能力と路面振動の高い振動吸収能力とを確実に得ることができる。
【００２２】
請求項２の発明では、着座支持部は弾性部により少なくとも着座面前後方向に予張力が付与されているため、撓が小さい初期段階から反力が大きく発生し、かつバネ定数の変化が小さい特性を示し、座り込みの際の高い衝撃吸収能力と路面振動の高い振動吸収能力とを確実に得ることができる。さらに、着座面左右方向には、着座面前後方向の予張力よりも弱い予張力が付与されているため、着座支持部が横方向に荷重を受けたとき、直ちに反力を発生することができ、着座支持部の横揺れを抑制し、適切な支持を行わせることができる。
【００２３】
請求項３の発明では、補強部の臀部対応部によって着座支持部の臀部に対応する部分の撓みを抑制することができ、臀部側部の圧迫が抑制されると共に、臀部中央部における着座支持部の支持を適切に行うことができる。また、臀部対応部の前端と伝達部の後端との結合部が着座面の前後中央より後縁部側に位置することによって、この位置の臀部中央部をより適切に支持することができる。さらに、補強部の伝達部を大腿部内側に配置することができ、大腿部内側と外側との支持がバランスし、適切な脚開き姿勢を維持することができ、長時間運転による疲労を軽減することができる。
【００２４】
請求項４の発明では、伝達部を着座面のシート幅方向の中央部を通る直線状に形成してあるため、足を揃えて着座する場合に有効である。
【００２５】
請求項５の発明では、請求項１〜４の何れかの発明の効果に加え、着座支持部及び補強部を肉厚を変えて可撓材により一体に形成することによって、部品点数が少なく製造、組付けが容易となる。
【００２６】
請求項６の発明では、請求項１〜４の何れかの発明の効果に加え、着座支持部及び補強部を穴の個数調整をして可撓材により一体に形成することによって、通気性がよいと共に、部品点数が少なく、製造、組付けを容易にすることができる。又穴の個数調整によって着座支持部及び補強部の強度特性を容易に変化させることができる。
【００２７】
請求項７の発明では、請求項１〜４の何れかの発明の効果に加え、着座支持部は布材で形成されると共に、弾性部はゴムで形成され、弾性部は着座支持部に含浸して結合されることによって、着座支持部に布材を用いることができ、通気性が良く又より薄く軽量に形成することができる。
【００２９】
請求項８の発明では、請求項１、３又は４の発明の効果に加え、着座支持部は弾性部により少なくとも着座面前後方向に予張力が付与されているため、撓みが小さい初期段階から反力が大きく発生し、かつバネ定数の変化が小さい特性を示し、座り込みの際の高い衝撃吸収能力と路面振動の高い振動吸収能力とを確実に得ることができる。
【００３１】
【発明の実施の形態】
（第１実施形態）
図１〜図１０は本発明の第１実施形態を示している。尚、図１６と対応する構成部分には同符合を付して説明し、また重複した説明は省略する。
【００３２】
図１は本発明の一実施形態に係るシートの一部切欠斜視図、図２は同分解図である。これら図１，図２のように、シートクッション３は、着座支持体２７と、クッション部２９とからなっている。着座支持体２７は、クッションフレーム３１と弾性部を兼ねる着座支持部３３と、補強部３５とからなっている。クッションフレーム３１は、シートスライドレール３７のアッパレール３９の取付部４１ａ，４１ｂ，４１ｃ，４１ｄに図示しないボルトナットによって締結固定されている。左右のアッパレール３９は、左右のロアレール４３に前後方向スライド位置調整自在に支持されている。ロアレール４３は車体フロアにボルトナット等によって締結固定されている。
【００３３】
前記クッション部２９は、表皮４５内に発泡ウレタンによって成形されたパッド４７が設けられ、表皮４５とパッド４７とは例えば接着によって固定されている。パッド４７は、着座面の中央部では薄く、クッションフレーム３１の前後左右上縁４９ａ，４９ｂ，５１ａ，５１ｂ側では相対的に厚く形成されている。表皮４５の前後左右下端縁部には、取付用の樹脂クリップ４９が取り付けられている。このクッション部２９は、前記着座支持体２７上に搭載され、前後左右の樹脂クリップ４９がクッションフレーム３１に係合されることによって、クッション部２９が着座支持体２７に位置決められている。
【００３４】
前記シートバック５には、上端にヘッドレスト４５が備えられ、下端両側にリクライニングデバイス４７が取り付けられている。リクライニングデバイス４７の下端は、前記シートスライドレール３７の左右アッパレール３９後端に図示しないボルトナットによって締結固定されている。従って、本実施形態において、リクライニングデバイス４７及びシートスライドレール３７のアッパレール３９は、シートクッション３とシートバック５とを結合する連結部材を構成している。
【００３５】
前記クッションフレーム３１の具体的構成は、図３のようになっている。この図３（ａ）はクッションフレームの斜視図であり、（ｂ）は図３（ａ）のIIIｂ−IIIｂ矢視断面図、図３（ｃ）は図３（ａ）のIIIｃ−IIIｃ矢視断面図、図３（ｄ）はクッションフレーム３１の後方から見た背面図である。
【００３６】
この図３のように、クッションフレーム３１は上面から見て矩形の枠状に形成され、クッションフレーム５の後部の左右幅は前部の左右幅よりも若干小さく形成されて、着座面の外形を形成する構成となっている。このクッションフレーム３１は、例えば板材の折り曲げによって成形され、前後左右の上縁４９ａ，４９ｂ，５１ａ，５１ｂはその断面形状が半円形状に湾曲形成されている。この上縁部４９ａ，４９ｂ，５１ａ，５１ｂの下側には、前後左右外壁５３ａ，５３ｂ，５５ａ，５５ｂが垂直に設けられ、下端に前後左右の底壁５７ａ，５７ｂ，５９ａ，５９ｂが設けられている。前記各外壁５３ａ，５３ｂ，５５ａ，５５には、取付用の穴５６がそれぞれ３箇所に設けられている。
【００３７】
前記シートスライドレール３７のアッパレール３９の取付部４１ａ，４１ｂ，４１ｃ，４１ｄに対するクッションフレーム３１の取付けは、左右の底壁５９ａ，５９ｂにおいて行われている。さらにクッションフレーム３１の前後上縁４９ａ，４９ｂはそれぞれシート幅方向の中央側が低くなる凹状に形成されている。前部上縁４９ａは、例えばＲ１＝１２００ｍｍに形成され、後部の上縁４９ｂはＲ２＝１０００ｍｍ程度に形成されている。
【００３８】
尚、クッションフレーム３１は少なくとも後部がシート幅方向の中央側が低くなる凹状に形成されれば良く、前部の上縁４９ａは、例えば左右の上縁５１ａ，５１ｂと同様に直線的に形成し、上縁４９ａをを左右の上縁５１ａ，５１ｂと面一に構成することもできる。
【００３９】
前記弾性部を兼ねる着座支持部３３と、補強部３５とは本実施形態において肉厚を変えて可撓材により一体に形成されたものである。具体的には、高弾性のゴム材により成形されているもので、着座支持部３３は着座面を全体的に支える薄膜状に形成され、補強部３５は着座支持部３３よりも厚肉に形成され、着座支持部３３を部分的に補強している。具体的には、図４のようになっている。
【００４０】
図４（ａ）は着座支持部３３及び補強部３５を下面側から見た展開状態の斜視図、図４（ｂ）は図４（ａ）のIVｂ−IVｂ矢視における断面図を示し、この図４（ｂ）では図４（ａ）とは異なり着座支持部３３の上面側が上方に位置するように見たものである。この図４のように、着座支持部３３は展開状態で平面視矩形状に形成され、薄膜状となっている。着座支持部３３の展開状態における各コーナー部には、前後左右縁部を下方へ折り曲げやすくするための切欠５７ａ，５７ｂ，５７ｃ，５７ｄが設けられている。着座支持部３３の展開状態における上面の前後左右縁部上には、取付用の玉縁部５９ａ，５９ｂ，５９ｃ，５９ｄがそれぞれ設けられている。着座支持部３３の各玉縁部５９ａ，５９ｂ，５９ｃ，５９ｄの内側部には、取付用の穴６１が各縁部に沿って３個ずつ設けられている。着座支持部３３の左右方向において展開状態における各取付穴６１の左右間距離は、前記クッションフレーム３１の左右外壁５５ａ，５５ｂに設けられた取付穴５６の展開状態（左右上縁部５１ａ，５１ｂ及び左右外壁５５ａ，５５ｂを平面に展開した状態）における左右間距離よりも若干大きく形成されている。着座支持部３３の前後方向における取付穴６１の前後間距離は、前記クッションフレーム３１の前後外壁５３ａ，５３ｂの取付穴５６の展開状態（前後上縁部４９ａ，４９ｂ、外壁５３ａ，５３ｂを平面に展開した状態）における前後間距離よりも短く形成されている。
【００４１】
前記補強部３５は前記着座支持部３３よりも厚肉に形成されたもので、臀部対応部６３ａ，６３ｂと、伝達部６５ａ，６５ｂとからなっている。前記臀部対応部６３ａ，６３ｂの前端と伝達部６５ａ，６５ｂの後端とは、結合部６７によって結合されている。この結合部６７は着座面の前後中央より後部側に位置している。具体的には、結合部６７は臀部対応部６３ａ，６３ｂと伝達部６５ａ，６５ｂの幅方向中央を通る中心線の結合点Ｃを有し、この結合点ＣがヒップポイントＨＰよりも３０ｍｍほど後方に位置した構成となっている。尚、ヒップポイントＨＰは、実験により統計的に求めた着座面上の位置である。
【００４２】
前記臀部対応部６３ａ，６３ｂは、着座面の後部で着座面の左右中央側から左右両後縁側に漸次拡がるように斜めに渡って形成されている。すなわち、結合点Ｃから後方の切欠５７ｃ，５７ｄに向かって斜めに拡がっている。切欠５７ｃ，５７ｄは臀部対応部６３ａ，６３ｂの一部によって補強されている。
【００４３】
前記伝達部６５ａ，６５ｂは着座面の左右中央側から左右両前縁側に漸次拡がるように渡っている。すなわち結合部６７の結合点Ｃ側から前方へ斜めに拡がって設けられている。伝達部６５ａ，６５ｂの拡がり幅は、乗員の大腿部に合わせて狭いものとなっている。
【００４４】
この着座支持部３３及び補強部３５は、図５のようにクッションフレーム３１上に配置され、弾性部を兼ねる着座支持部３３の前後左右縁部が図６に一部示すようにクッションフレーム３１の前後左右上縁４９ａ，４９ｂ，５１ａ，５１ｂを覆うようにして引き回され、前後左右外壁５３ａ，５３ｂ，５５ａ，５５ｂにおいて着座支持部３３の各取付穴６１がクッションフレーム３１の各取付穴５６に合わせられ、取付穴５６，６１及びリテーナ６９を貫通するリベット７１によって固定されている。リテーナ６９は、玉縁部５９ａ，５９ｂ，５９ｃ，５９ｄの上側に位置し、玉縁部５９ａ，５９ｂ，５９ｃ，５９ｄを係合固定している。
【００４５】
そして、前記のように着座支持部３３の取付穴６１の展開状態の前後間隔は、クッションフレーム３１の取付穴５６の展開状態の前後間隔よりも小さく形成されているため、前記取付に際して着座支持部３３はその弾性に抗して前後方向に引かれ、取付状態において着座支持部３３には前後方向に予張力が付与されている。
【００４６】
左右方向には着座支持部３３の取付穴６１の展開状態の左右間隔がクッションフレーム３１の取付穴５６の左右間隔よりも若干大きく形成されているため、前記着座支持部３３の前後方向の予張力によって、着座支持部３３はクッションフレーム３１の前後上縁部４９ａ，４９ｂの湾曲に沿った形状となり、左右方向に凹形状となっている。
【００４７】
このような構成によって、着座支持体２７は、その上面がクッションフレーム３３に沿って左右方向に凹形状となり、補強部３５は、クッションフレーム３１に対する取付部ＲＦ１，ＬＦ１，ＲＲ１，ＬＲ１（図７）よりも結合部６７の結合点Ｃが下方に位置する凹形状となり、薄膜状の着座支持部３３は予め前後方向に張力が付与された状態で設置される。さらに補強部３５は、該補強部３５が設けられている部分で着座支持部３３を補強して撓反力を発生し、下方への撓量を抑制する。これらによって、乗員が着座する初期段階の撓の小さいときから反力が大きく発生し、かつバネ定数の変化が小さい特性を示し、座り込みの際の高い衝撃吸収能力と路面振動の高い振動吸収能力を得ることができる。
【００４８】
一方、図７、図８のように補強部３５の臀部対応部６３ａ，６３ｂの補強によって着座支持部３３の撓を抑制し、臀部２３の側部の圧迫を抑制して適切に支持することができる。臀部２３の中央部では、結合部６７の結合点ＣがヒップポイントＨＰより後方３０ｍｍの位置にあることによって、この部分を補強し、臀部２３の中央部を適切に支持することができる。尚、臀部２３から、臀部対応部６３ａ，６３ｂ及び結合部６７に加わる荷重は、前側の伝達部６５ａ，６５ｂを介してクッションフレーム３１の前部に伝達されて支持されることになる。
【００４９】
大腿部２５では、伝達部６５ａ，６５ｂが図７，図９のように大腿部２５の内側部に配置されることになり、大腿部２５の内側と外側の支持がバランスし、適切な足開き姿勢を維持することができる。
【００５０】
これらのことから長時間の運転によっても疲労の増大を大幅に抑制することができる。又、補強部３５と着座支持部３３とでは固さが変化することになるが、図７のように、臀部２３及び大腿部２５の神経系７３の配置は、座骨部７５周辺と大腿部２５裏面に集中し、これらの部位では固さ変化に対して敏感であるが、本実施形態では補強部３５の伝達部６５ａ，６５ｂは当該部位を外して配置されるているため、着座者に固さ変化の違和感を与えるのを抑制することができる。
【００５１】
又、上記のように、着座支持部３３はその撓量が大幅に抑制されると共に、その前後左右部においてクッションフレーム３１の前後左右上縁４９ａ，４９ｂ，５１ａ，５１ｂを覆うようになっているため、乗員が座り込むとき、あるいは座り込んだあと左右へ位置がずれたようなときでも、クッションフレーム３１の左右上縁５１ａ，５１ｂの曲面が強く当たることがなく、違和感を抑制することができる。同様に、クッションフレーム３１の前部上縁４９ａでも同様であり、クッションフレーム３１の前部上縁４９ａが大腿部２５の裏面に強く当たることがなく、違和感を抑制することができる。
【００５２】
このような構成によって、着座支持体２７の上部に搭載するクッション部２９のパッド４７を大幅に薄くしても、座り込み時の高い衝撃や路面振動を適切に吸収し、また着座後は臀部２３及び大腿部２５を適切に支持することができる。従って、シートクッション３を大幅に薄くすることができると共に、大幅な軽量化を図ることが可能となる。
【００５３】
ここで、図１０により、クッションフレーム３１の後部の上縁４９ｂの曲率半径Ｒ２の大小と、クッション部２９との関係を述べる。図１０のように、曲率半径Ｒ２が大きい場合、着座による上下荷重に対して張力Ｔ２は大きくなる。この張力Ｔ２は略着座支持部３３の面剛性と考えてよく、曲率半径Ｒ２が大きいと面剛性が大きく堅い感じになる。従って、クッション部２９のパッド４７は、上記実施形態のように着座支持体２７上面全域に必要となる。但し、パッド４７の厚さは、上記理由によって大幅に薄くできることは勿論である。また曲率半径Ｒ２が小さい場合は、逆に張力Ｔ１は小さくなって面剛性が小さくなり、柔軟な感じとなる。従って、座面中央部では、クッション部２９のパッド４７を後述のように省くことができる。
【００５４】
また、曲率半径Ｒ２が小さいと、側部の上縁５１ａ，５１ｂの位置が相対的に高くなる。この上縁５１ａ，５１ｂにおいて、クッション部２９上端の高さが高すぎると乗降時に違和感を増大させることになる。従って、上縁５１ａ，５１ｂが相対的に高くなる場合には、上縁５１ａ、５１ｂ上に位置するクッション部２９のパッド４７の厚さを薄くする必要がある。従って、曲率半径Ｒ２が小さい場合には、クッションフレーム３１の左右上縁５１ａ，５１ｂ上に位置するパッド４７を薄くし、緩衝効果の高い材料、例えば衝撃吸収材を用いると効果的である。
【００５５】
図１１は第１実施形態の変形例に係る実施形態であり、（ａ）はシートクッション３の一部切欠斜視図、（ｂ）はクッションフレーム３１の背面図である。
【００５６】
本実施形態においては、クッションフレーム３１の後部上縁４９ｂの曲率半径Ｒ４＝５００ｍｍ、前部上縁４９ａの曲率半径Ｒ３＝８００ｍｍとし、上記実施形態よりも曲率半径Ｒ４を小さくしたものである。
【００５７】
そして、クッション部２９のパッド４７は、着座面の中央部には設けられず、クッションフレーム３１の前後左右上縁４９ａ，４９ｂ，５１ａ，５１ｂに対応する部分にのみ設けてある。このように、後部の上縁４９ｂの曲率半径Ｒ４が小さくなると、上記説明のように着座支持部３３の面剛性は小さくなるため、着座面の中央部においてパッド４７を省いても座り込みの際の高い衝撃吸収能力と路面振動からの高い振動吸収能力を維持することができる。またパッドを一部省略することができるため、より薄く軽量なシートを得ることができる。
【００５８】
ここで上記第１実施形態と変形例とを比較すると、第１実施形態では、着座支持部３３の凹形状が変形例の場合に比較して浅いため、着座支持部３３のバネ定数変化は相対的に大きくなっているが、着座支持部３３上に配置される発泡ウレタンのパッド４７の圧縮弾性によってトータルとしては適正な撓み反力特性を示す。又、緩衝材は安価な発泡ウレタンを使用するため、コストを抑制することが可能である。
【００５９】
これに対し変形例では、着座支持部３３の凹形状が相対的に深くなっていることにより、着座支持部３３のバネ定数変化は第１実施形態に比較すると小さくなり、着座面中央部に発泡ウレタンのパッドが無くても十分な撓み反力特性を示す。
【００６０】
（第２実施形態）
図１２は本発明の第２実施形態に係り、（ａ）は着座支持体の斜視図、（ｂ）は弾性部を兼ねる着座支持部及び補強部を裏面から見た斜視図である。尚、第１実施形態と対応する構成部分には同符合を付して説明する。
【００６１】
本実施形態では、補強部３５の配置構成を変えたもので、結合部６７を前後に若干長く形成すると共に、臀部対応部６３ａ，６３ｂの左右後方への開き角度を若干小さくしたものである。
【００６２】
前記結合部６７はヒップポイントＨＰより３０ｍｍ後方の結合点ＣとヒップポイントＨＰより若干前方の点ＣＦとを結ぶ直線部を有している。かかる構成によって、乗員の着座位置が前後しても、結合部６７が長いことによって支持圧の変化が小さく、違和感を抑制することができる。
【００６３】
（第３実施形態）
図１３は第３実施形態に係り、（ａ）は着座支持体の斜視図、（ｂ）は弾性部を兼ねる着座支持部及び補強部を裏面から見た斜視図である。尚、第１実施形態と対応する構成部分には同符合を付して説明する。
【００６４】
本実施形態においては、伝達部６５を直線的に形成したものである。本実施形態においても、第１実施形態と略同様な作用効果を奏することができる。
【００６５】
一方、本実施形態では、伝達部６５が直線的であるため、助手席などで女性が足を揃えて着座する場合に、足開きを抑制することができる。
【００６６】
（第４実施形態）
図１４は本発明の第４実施形態に係り、着座支持体の斜視図である。尚、第１実施形態と対応する構成部分には同符合を付して説明する。
【００６７】
本実施形態においては、着座支持部３３及び補強部３５を穴の個数調整をして可撓材により一体に形成したものである。すなわち、着座支持部３３及び補強部は、弾性体の剛性を高めた材料によって一体に形成され、補強部３５に相当する部分には穴を設けず、着座支持部３３に相当する部分に穴７３を多数個設け、両部３３、３５の固さに変化を持たせたものである。又、弾性体の剛性をさらに高めた材料を使用して、補強部３５相当部にも小径の穴を設置し、着座支持部３３に相当する部分では穴ピッチあるいは穴径を大きくするようにして固さの調整を行うことも可能である。
【００６８】
従って、本実施形態においても第１実施形態と略同様な作用効果を奏することができる。又、本実施形態においては、蒸れやすい座骨部、大腿部の大幅な通気性の向上を図ることができる。
【００６９】
（第５実施形態）
図１５は第５実施形態に係り、（ａ）は着座支持部、補強部、弾性部を示す分解斜視図、（ｂ）は取付状態の要部断面図である。尚、第１実施形態と対応する構成部分には同符合を付して説明する。
【００７０】
本実施形態においては、着座支持部３３は布材で形成されると共に、着座支持部の前後左右周囲に弾性部７５を設けたものである。弾性部７５はゴムで形成され、布材で形成された着座支持部３３の周囲に含浸７７によって結合されている。又、補強部３５も布材で形成されると共に、ゴムで形成された弾性部７９が前後左右周囲に設けられ、補強部３５の臀部対応部６３ａ，６３ｂ後端及び伝達部６５ａ，６５ｂの前端に、弾性部７９の前後部が含浸８１によって結合されている。補強部３５側において弾性部７９縁部にも玉縁部８３ａ，８３ｂ，８３ｃ，８３ｄが設けられ、その内側に取付穴８５がそれぞれ３個ずつ設けられている。
【００７１】
この着座支持部３３及び補強部３５の取付けは、上記実施形態と略同様であるが、図１５（ｂ）のようにクッションフレーム３１の例えば外壁５５ｂにおいて玉縁部８３ｄは玉縁部５９ｄの下側に位置し、玉縁部５９ｄの上部側にリテーナ６９が位置する形態となっている。他の部分においても、取付構造は同様である。
【００７２】
従って、本実施形態においても、第１実施形態と略同様な作用効果を奏することができる。
【００７３】
一方、本実施形態においては、着座支持部３３及び補強部３５は布材で形成することができるため、通気性があると共により軽量で薄型に形成することができる。
【００７４】
（第６実施形態）
図１６は本発明の第７実施形態に係り、クッションフレームの斜視図である。尚、第１実施形態と対応する構成部分には同符合を付して説明する。
【００７５】
本実施形態においては、クッションフレーム前部上縁４９ａと後部上縁４９ｂの凹状の形状を中央の水平部８５ａ，８７ａと左右の傾斜部８５ｂ，８７ｂ，８５ｃ，８７ｃで形成したものである。尚、本実施形態においても、前部上縁４９ａは凹状に形成することなく、左右上縁５１ａ，５１ｂと同様に直線的に形成し面一に構成することもできる。
【００７６】
そして、本実施形態のフレーム構造によって、前記同様着座支持部を凹状に形成することができ、同様な作用効果を奏することができる。
【００７７】
尚、上記各実施形態では着座支持部は着座面前後方向に予張力を付与するようにしたが、着座面左右方向にも着座面前後方向の予張力よりも弱い予張力を付与する構成にすることもできる。この左右方向の予張力によって、着座支持部３３が横方向に安定し、横揺れに対する支持を適切に行うことができる。
【図面の簡単な説明】
【図１】本発明の第１実施形態に係るシートの斜視図である。
【図２】第１実施形態に係り、シートの分解斜視図である。
【図３】第１実施形態に係り、（ａ）はクッションフレームの斜視図、（ｂ）は（ａ）のIIIｂ−IIIｂ矢視断面図、（ｃ）は（ａ）のIIIｃ−IIIｃ矢視断面図、（ｄ）はクッションフレームの背面図である。
【図４】第１実施形態に係り、（ａ）は着座支持部及び補強部を裏面から見た斜視図、（ｂ）は（ａ）のIVｂ−IVｂ矢視断面図である。
【図５】第１実施形態に係り、着座支持部等とクッションフレームとの関係を示す分解斜視図である。
【図６】第１実施形態に係り、クッションフレームに対する着座支持部の取付けを示す断面図である。
【図７】第１実施形態に係り、着座支持部と臀部及び大腿部との関係を示す平面図である。
【図８】第１実施形態に係り、着座支持部と臀部との関係を示す概略断面図である。
【図９】第１実施形態に係り、着座支持部と大腿部との関係を示す概略断面図である。
【図１０】第１実施形態に係り、曲率半径の相違による張力の変化を示す説明図である。
【図１１】第１実施形態の変形例に係る実施形態であり、（ａ）はシートクッションの一部切欠斜視図、（ｂ）はクッションフレームの背面図である。
【図１２】本発明の第２実施形態に係り、（ａ）は着座支持体の斜視図、（ｂ）は着座支持部及び補強部を裏面から見た斜視図である。
【図１３】本発明の第３実施形態に係り、（ａ）は着座支持体の斜視図、（ｂ）は着座支持部及び補強部を裏面から見た斜視図である。
【図１４】本発明の第４実施形態に係り、着座支持体の斜視図である。
【図１５】本発明の第５実施形態に係り、（ａ）は着座支持部及び補強部の分解斜視図、（ｂ）は取付状態を示す要部断面図である。
【図１６】本発明の第６実施形態に係り、クッションフレームの斜視図である。
【図１７】従来例に係るシートの一部省略斜視図である。
【図１８】従来例に係り、耐圧分布を示す平面図である。
【図１９】従来例に係り、伸縮部材と臀部との関係を示す概略断面図である。
【図２０】従来例に係り、伸縮部材と大腿部との関係を示す概略断面図である。
【図２１】従来例に係り、撓み反力特性図である。
【符号の説明】
１  シート
３  シートクッション
５  シートバック
３１  クッションフレーム
３３  着座支持部
３５  補強部
３９  アッパレール（連結部材）
４７  リクライニングデバイス（連結部材）
６３ａ，６３ｂ  臀部対応部
６５ａ，６５ｂ  伝達部
６７  結合部
７３  穴
７５，７９  弾性部
【図１】
0003772612.tif 000002
【図２】
0003772612.tif 000003
【図３】
0003772612.tif 000004
【図４】
0003772612.tif 000005
【図５】
0003772612.tif 000006
【図６】
0003772612.tif 000007
【図７】
0003772612.tif 000008
【図８】
0003772612.tif 000009
【図９】
0003772612.tif 000010
【図１０】
0003772612.tif 000011
【図１１】
0003772612.tif 000012
【図１２】
0003772612.tif 000013
【図１３】
0003772612.tif 000014
【図１４】
0003772612.tif 000015
【図１５】
0003772612.tif 000016
【図１６】
0003772612.tif 000017
【図１７】
0003772612.tif 000018
【図１８】
0003772612.tif 000019
【図１９】
0003772612.tif 000020
【図２０】
0003772612.tif 000021
【図２１】
0003772612.tif 000022